(57)【要約】【課題】分離管３０からの上層液Ｂの吸引及び排液作用を円滑に行う。【解決手段】分離管３０は、上下方向に回転自在に設けられ、高速回転して水平状態で血液Ａの上層液Ｂと細胞成分Ａ´の分離作用を行なう。吸引及び排液作用時には、その分離作用に支障がない低速回転として、分離管３０を鎖線のように下方に回転させて遠心力を小さくする。遠心力が小さくなれば、吸引及び排液作用は円滑になる。分離管３０の排出口２６ｂ近くに電磁弁３５を設け、その弁３５の開閉及び排液の吸引により、管３０内の血液到達位置を任意に選択できる様にして、血液濃度の相違に対応する。このとき、管３０の長さ方向の適宜位置にセンサー３４ａ・・を設けて、その血液位置を感知するとともに、その管３０の両端を大気及び別の排出管１６に接続してその血液移動を円滑にする。【選択図】図５
2005164392.tif 000002
【特許請求の範囲】
【請求項１】
回転駆動される水平方向の分離管３０の一端を血液Ａの注入口２４ｂ、他端を排出口２６ｂとし、その分離管３０の前記回転中心側適所に、上層液Ｂの吸引管２５を挿入するとともにその上層液Ｂの分離検出手段を設け、分離管３０のその回転中心側適所の反対端側には分離管３０の高速回転による血液Ａの遠心分離中は前記分離管３０を閉鎖し、遠心分離が終了すると分離管３０を開放する開閉手段を設け、前記分離検出手段が前記上層液Ｂの分離を検出すると前記吸引管２５によって上層液Ｂを吸引回収し、前記開閉手段を開いて排出口２６ｂから細胞成分Ａ´を排出する血液Ａの上層液自動分離回収装置において、
上記分離管３０をその回転中心側が上側となる様に下方に回転可能として、上記上層液Ｂの吸引時、細胞成分Ａ´の排出時又はその吸引時及び細胞成分Ａ´の排出時にはその分離管３０を下方に回転させるようにしたことを特徴とする血液の上層液自動分離回収装置。
【請求項２】
上記分離管３０の下方への回転をその自重により自在とし、上記上層液Ｂの吸引時、細胞成分Ａ´の排出時又はその吸引時及び細胞成分Ａ´の排出時には分離管３０を低速回転にして自重により下方に回転させるようにしたことを特徴とする請求項１に記載の血液の上層液自動分離回収装置。
【請求項３】
上記分離管３０の分離検出手段３６と開閉手段の間に複数の血液到達確認検出手段３４ａ、３４ｂ、３４ｃをその長さ方向に順々に設け、前記開閉手段を電動開閉バルブ３５としたことを特徴とする請求項１又は２に記載の血液の上層液自動分離回収装置。
【請求項４】
上ケーシング１０と下ケーシング２０を上下に重ねて同一軸心で相互に回転可能に設け、前記上ケーシング１０に血液Ａの供給管１４と上層液Ｂの回収管１５と細胞成分Ａ´及び洗浄液Ｃの排出管１６とを設け、下ケーシング２０には複数の請求項１乃至３の何れかに記載の血液の上層液自動分離回収装置と洗浄液溜４０を回転周方向に交互に設け、上記分離管３０による血液Ａの分離、分離管３０からの上層液Ｂの回収、分離管３０の洗浄・乾燥時には前記上ケーシング１０の供給管１４が分離管３０の注入口２４ｂ側端、回収管１５が上記吸引管２５の後端２５ｂ、排出管１６が分離管３０の排出口２６ｂ側端にそれぞれ接続され、前記供給管１４の洗浄時にはその供給管１４及び排出管１６が前記洗浄液溜４０に接続されるようにした血液の上層液連続分離回収装置。
【請求項５】
請求項４記載の血液の上層液連続分離回収装置において、上記上ケーシング１０には、上記供給管１４が一の分離管３０の注入口２４ｂ側端、回収管１５がその分離管３０の一端部に挿入された吸引管２５の後端２５ｂ、排出管１６がその分離管３０の排出口２６ｂ側端に接続された状態で、他の分離管３０の注入口２４ｂ側端及び排出口２６ｂ側端が接続される空気孔１９及び前記排出管１６とは別の排出管１６が設けられていることを特徴とする血液の上層液連続分離回収装置。
【請求項６】
上記供給管１４及び回収管１５の一端１４ａ、１５ａは上ケーシング１０の回転中心軸１１内を通って適宜な個所に導かれ、他端１４ｂ、１５ｂは上ケーシング１０下面の前記回転軸１１周りに開口し、上記排出管１６の一端１６ａは適宜の容器６内に開口し、他端１６ｂは上ケーシング１０の中心回転軸１１を上方に延びて上ケーシング１０下面の前記回転軸１１周りに開口し、前記供給管１４、回収管１５、排出管１６の他端各開口は上ケーシング１０の下面で一列に配置され、
上記下ケーシング１０の上面には各分離管３０の注入口２４ｂ側端、吸引管２５の後端２５ｂ及び分離管３０の排出口２６ｂ側端がそれぞれ開口して、その各分離管３０の各開口は各分離管３０毎に前記上ケーシング１０側の各開口の回転中心に対する列方向及び位置に対応するとともに回転方向等間隔に配置されており、
上記分離管３０による血液Ａの分離、分離管３０からの上層液Ｂの回収、分離管３０の洗浄・乾燥時には、前記上ケーシング１０の供給管１４が一の分離管３０の上記注入口２４ｂ側端開口、回収管１５が上記吸引管２５の上記後端開口２５ｂ、排出管１６が前記一の分離管３０の排出口２６ｂ側端開口にそれぞれ対応して、前記供給管１４が前記一の分離管３０の注入口２４ｂ、回収管１５が前記吸引管２５の後端２５ｂ、排出管１６が前記一の分離管３０の排出口２６ｂにそれぞれ接続され、かつ、前記上ケーシング１０の空気孔１９が他の分離管３０の注入口２４ｂ側端開口、上記別の排出管１６がその他の分離管３０の排出口２６ｂ側端開口にそれぞれ対応して、前記他の分離管３０の注入口２４ｂが前記空気孔１９、その他の分離管３０の排出口２６ｂが別の排出管１６にそれぞれ接続されることを特徴とする請求項５に記載の血液の上層液連続分離回収装置。
【発明の詳細な説明】
【技術分野】
【０００１】
この発明は、血液の上層液と細胞成分を分離し、上層液を取り出して自動的に回収し、細胞成分を自動的に排出できるようにし得る血液の上層液自動分離回収装置及びその連続分離回収装置に関する。
【背景技術】
【０００２】
血液分析は、例えば、図１３に示すように、まず、試験管２に血液Ａを採取し、その試験管２をラック３にセットする。各試験管２には、基本情報、血液の種類（抗凝固剤入り血液、血清、血漿）、分析内容（有形成分、無形成分）等が印刷されたラベルが貼着されている。このため、そのラベル情報を読み取り、以降の操作手順が確定されて、順々に自動的に分析装置に搬送される。ラベル情報のない試験管２は、手操作により、分析装置にそれらの情報を入力して搬送する。分析装置に自動又は手動により搬送された試験管２は、自動又は手動転倒してプローブ（吸い口）７からその中の血液Ａが吸引される。このとき、抗凝固剤入り血液Ａは転倒混和し均一化し、事前処理がされた血清、血漿は混和しない。
【０００３】
その分析装置において、血液は、有形成分（赤血球、各種白血球、血小板）と無形成分（蛋白質、コレステロール、血糖等の生化学成分、免疫成分等）から成り立っており、これらの成分を分析測定するには、成分性質により測定原理や分析原理をそれぞれ異にしているため、別々の専用分析測定手段、すなわち有形成分を専用に測定するには血液形態学測定手段等の有形成分測定手段４を用い、無形成分を測定するには生化学的分析手段や免疫学的分析手段等の無形成分測定手段５を用いる。その無形成分測定には、有形成分を除去しなくてはならないため、上層液自動分離回収手段１を備えている。図中、６は、残液タンクである。
【０００４】
このため、吸引された血液Ａは、分析内容（有形成分か無形成分）によって分岐し、有形成分分析の場合は、有形成分測定手段４に送られて、その分析、例えば白血球、赤血球、血小板等の分析が行われ（ａ方向）、無形成分分析の場合には上層液自動分離回収手段１に送られる（ｂ方向）。このとき、事前処理がされた血清、血漿は直接に無形成分測定手段５に送り込まれる（ｄ方向）。
上層液自動分離回収手段１においては、所定の操作により上層液（血漿）Ｂを回収してその回収液Ｂを無形成分測定手段５に送り込むとともに（ｃ方向）、分離残液（細胞成分）Ａ´を残液タンク６に送り込む。
無形成分測定手段５においては、蛋白質、コレステロール、血糖等の分析が行なわれる。
【０００５】
上記上層液自動分離回収手段１として、従来、回転駆動される水平方向の分離管の一端を血液の供給口、他端を排出口とし、その分離管の前記回転中心側適所に、上層液の吸引管を挿入するとともにその上層液の分離検出手段を設け、分離管のその回転中心側適所の反対端側には分離管の高速回転による血液の遠心分離中は前記分離管を閉鎖し、遠心分離が終了すると分離管を開放する開閉手段を設け、前記分離検出手段が前記上層液の分離を検出すると前記吸引管によって上層液を吸引回収し、前記開閉手段を開いて排出口から細胞成分を排出するものがある（特許文献１参照）。
【特許文献１】特開平１１―１９０７３３号公報
【０００６】
また、その上層液自動分離回収を連続的に行うようにした技術として、上ケーシングと下ケーシングを上下に重ねて同一軸心で相互に回転可能に設け、前記上ケーシングに血液の供給管と上層液の回収管と細胞成分及び洗浄液の排出管とを設け、下ケーシングには上記の血液の上層液自動分離回収手段と洗浄液溜を回転周方向に交互に設け、上記分離管による血液の分離、分離管からの上層液の回収、分離管の洗浄・乾燥時には、前記上ケーシングの供給管が分離管の注入口側端、回収管が上記吸引管の後端、排出管が分離管の排出口端にそれぞれ接続され、前記供給管の洗浄時には前記供給管が前記洗浄液溜に接続されるようにしたものがある（特許文献２参照）。
【特許文献２】特開２００２―１６８８５７号公報
【０００７】
さらに、その上層液自動分離回収を連続的かつ円滑に行うようにした技術として、抗凝固剤を混入した血液を収納したサンプルセルの自動供給手段と、有形成分分析手段と、上層液自動連続分離手段と、この連続分離手段から供給される上層液を分析する無形成分分析手段と、前記サンプルセルの自動供給手段から有形成分分析手段と上層液自動連続分離手段にそれぞれ所定のタイミングで血液を供給する第１の搬送手段と、前記上層液自動連続分離手段から無形成分分析手段に所定のタイミングで上層液を供給する第２の搬送手段から成るものがある（特許文献３  請求項１参照）。
【特許文献３】特開２００３―２３２７８７号公報
【発明の開示】
【発明が解決しようとする課題】
【０００８】
上記何れの技術も、分離管を水平に設け、その分離管を回転させてその中の血液を上層液と細胞成分とに遠心分離し、その分離後の上層液Ｂを吸引回収するとともに、分離管から細胞成分を排出して洗浄・乾燥する。
その上層液Ｂの吸引回収、細胞成分Ａ´の排出は、高速回転する分離管において行うため、その遠心力が血液（上層液Ｂ及び細胞成分液Ａ´）に加わり、その力は吸引方向及び排液方向の逆方向に働く。このため、その吸引及び排液作用が円滑に行われなかった。
【０００９】
この発明は、上記吸引及び排液作用を円滑に行い得るようにすることを課題とする。
【課題を解決するための手段】
【００１０】
上記課題を達成するために、この発明は、その吸引及び排液時にはその分離管を下方に回転させるようにしたのである。
このように分離管を下方に回転させて上下方向とすれば、遠心力は分離管内の血液をその管壁に押し付ける作用をして、上層液と細胞成分の分離状態を維持すると共に、吸引及び排液方向には多くは働かない。このため、分離管が水平方向の状態に比べれば、吸引及び排液作用は円滑になし得る。分離管の下方への回転角度は、必ずしも鉛直でなくても良く、吸引及び排液作用を考慮して適宜に設定すればよい。
【００１１】
因みに、従来でも、血液収納容器(試験管２)を水平にして回転し、その遠心力により上層液と細胞成分の分離状態となれば、その血液収納容器を上下方向(縦置き)に戻して、上層液と細胞成分の混合を防止しているが、この発明における縦置き（下方への回転）は、上層液吸引時の遠心力による吸引方向の力を低減するためであり、従来の縦置きとはその意義が異なる。
但し、遠心力が働くことに支障がある場合には、その遠心力の影響をなくすべく、分離管を下方にすることが好ましい。このため、吸引及び排液の作用時のみならず、他の作用時、例えば、血液の注入時なども分離管を下方にすることができる。
【発明の効果】
【００１２】
この発明は、吸引及び排液時の遠心力の作用を軽くしたので、その吸引及び排液作用を円滑に行うことができる。
【発明を実施するための最良の形態】
【００１３】
この発明の一実施形態としては、回転駆動される水平方向の分離管の一端を血液の注入口、他端を排出口とし、その分離管の前記回転中心側適所に、上層液の吸引管を挿入するとともにその上層液の分離検出手段を設け、分離管のその回転中心側適所の反対端側には分離管の高速回転による血液の遠心分離中は前記分離管を閉鎖し、遠心分離が終了すると分離管を開放する開閉手段を設け、前記分離検出手段が前記上層液の分離を検出すると前記吸引管によって上層液を吸引回収し、前記開閉手段を開いて排出口から細胞成分を排出する血液の上層液自動分離回収装置において、前記分離管をその回転中心側が上側となる様に下方に回転可能として、上記上層液の吸引時、細胞成分の排出時又はその吸引時及び細胞成分の排出時にはその分離管を下方に回転させるようにした構成を採用し得る。
【００１４】
その分離管の下方への回転手段は、回転駆動機、プランジャなどの種々の駆動機を採用できるが、分離管をその自重により下方に回転自在とし、上記上層液の吸引時、細胞成分の排出時又はその吸引時及び細胞成分の排出時にはその分離管を低速回転にして自重により下方に回転させるようにすることができる。
【００１５】
また、上記分離管の分離検出手段と開閉手段の間に複数の血液到達確認検出手段をその長さ方向に順々に設け、前記開閉手段を電動開閉バルブとした構成とすることができる。
このようにすれば、遠心分離により、血液は、分離管内において、回転中心側に上層液、外側に細胞成分液が位置するように分離するが、分離管後方（排出口側）の電動開閉バルブを開閉するとともに排出口側を吸気することにより、その分離液層は分離管の排出口側に移行する。
【００１６】
このため、その移行を長さ方向に順次設けた血液到達確認検出手段で検出するとともに、分離検出手段により上層液を検出するようにすれば、血液濃度が高い場合でも、上層液層を排出口側に移動させて、吸引管の位置にさせることができる。これにより、血液濃度に関係なく、円滑な上層液自動分離回収を行うことができる。この上層液層の移動は、分離管の回転時に行ってもよいが、分離管の回転を停止させて行なっても良い。回転中に行なえば、作業性は向上する。
【００１７】
これらの血液の上層液自動分離回収装置は、特許文献２に記載の血液の上層液連続分離回収装置に採用できる。すなわち、上ケーシングと下ケーシングを上下に重ねて同一軸心で相互に回転可能に設け、前記上ケーシングに血液の供給管と上層液の回収管と細胞成分及び洗浄液の排出管とを設け、下ケーシングには上記血液の上層液自動分離回収装置と洗浄液溜を回転周方向に交互に設け、上記分離管による血液の分離、分離管からの上層液の回収、分離管の洗浄・乾燥時には前記上ケーシングの供給管が分離管の注入口側端、回収管が上記吸引管の後端、排出管が分離管の排出口端にそれぞれ接続され、前記供給管の洗浄時には前記供給管が前記洗浄液溜に接続されるようにした構成とすることができる。
【００１８】
この血液の上層液連続分離回収装置においては、上記上ケーシングには、供給管が一の分離管の注入口側端、回収管が上記吸引管の後端、排出管が分離管の排出口端に接続された状態で、他の分離管の供給口側端及び排出口側端が接続される空気孔及び前記排出管とは別の排出管が設けられている構成を採用できる。
このようにすれば、上記電動開閉バルブの開閉により、分離液層を分離管の排出口側に移行させる際、排出管から吸気すると、空気孔から分離管内には円滑に空気が供給されるため、その分離層液の移行は円滑になされる。
【００１９】
因みに、上記複数の血液到達確認検出手段を設置して、上層液層の移動させること、及び(又は)空気孔と別の排出管の設置は、分離管を下方に回転させるものに限らず、特許文献２、３に記載の技術においても採用できる。
【００２０】
さらに、その血液の上層液連続分離回収装置の具体的構成としては、上記供給管及び回収管の一端は上ケーシングの回転中心軸内を通って適宜な個所に導かれ、他端は上ケーシング下面の前記回転軸周りに開口し、上記排出管の一端は適宜の容器内に開口し、他端は上ケーシングの中心回転軸を上方に延びて上ケーシング下面の前記回転軸周りに開口し、前記供給管、回収管、排出管の他端各開口は上ケーシングの下面で一列に配置され、
上記下ケーシングの上面には各分離管の注入口側端、吸引管の後端及び分離管の排出口端がそれぞれ開口して、その各分離管の各開口は各分離管毎に前記上ケーシング側の各開口の回転中心に対する列方向及び位置に対応するとともに回転方向等間隔に配置されており、
上記分離管による血液の分離、分離管からの上層液の回収、分離管の洗浄・乾燥時には前記上ケーシングの供給管が一の分離管の上記注入口側端開口、回収管が上記吸引管の上記後端開口、排出管が前記一の分離管の排出口端開口にそれぞれ対応して、前記供給管が前記一の分離管の供給口、回収管が前記吸引管の後端、排出管が前記一の分離管の排出口にそれぞれ接続され、かつ、前記上ケーシングの空気孔が他の分離管の注入口側端開口、上記別の排出管がその他の分離管の排出口側端開口にそれぞれ対応して、前記他の分離管の注入口が前記空気孔、その他の分離管の排出口が別の排出管にそれぞれ接続される構成とすることができる。
【実施例】
【００２１】
図１乃至図８に一実施例を示し、この実施例は、それぞれ別個に回転駆動される円板状上ケーシング１０と、円板状下ケーシング２０より成る。その上下ケーシング１０、２０の中心には、パイプ状の回転軸１１が通っており、その回転軸１１の下部はモータＭの回転軸に接続されている。下ケーシング２０の軸部２０ｂの下端は回転軸１１の下部膨出部の上面に当接している。
【００２２】
上ケーシング１０を貫通した回転軸１１の先端部にはコイルばね１３が嵌められてそのばね押え１３ａがねじ込まれており、そのばね押え１３ａのねじ込みにより、コイルばね１３を介して上ケーシング１０が下ケーシンング２０に圧接して一体に回転する。このとき、上ケーシング１０と回転軸１１の嵌合部は断面角形となって（図３参照）両者１０、１１はガタなく一体に回転する。ばね押え１３ａのねじ込み度合は上下ケーシング１０、２０の摺動及び一体運動の円滑性を考慮して適宜に決定する。上ケーシング１０内には同心の回転軸１１に固定の駒１７が嵌められて、この駒１７はピンの上ケーシング１０内面への挿し込みにより上ケーシング１０と一体になって回転する。その駒１７の外側全周には歯車１８が上ケーシング１０と一体に設けられている。
【００２３】
上記回転軸１１から駒１７にフレキシブルチューブからなる供給管１４及び回収管１５が設けられており、その両管１４、１５の一端１４ａ、１５ａがその回転軸１１の先端部から導き出され、その他端１４ｂ、１５ｂは回転軸１１から駒１７の上面に導き出された後、駒１７内に導かれてその下面に開口している。さらに、回転軸１１内をその下部から排出管１６が延び、その一端１６ｂは分岐されて回転軸１１の周囲３等分位から駒１７の上面に導き出された後、駒１７内に導かれてその下面に開口しており（排出用開口１６ｂとなり）、他端１６ａは残液タンク６等に導かれている。これらのケーシング１０の下面に設けられた開口１６ｂ、１４ｂ、１５ｂは周方向に一列に並んでいる（図６参照）。
【００２４】
なお、駒１７上面の供給管１４、回収管１５及び排出管１６は上ケーシング１０下面の凹部１０ａ内に納められる。図中、１９は駒１７の上下面に開口する空気孔であり、周囲３等分位に設けられている。この孔１９にはフィルター１９ａを設けて空気中のダストなどの好ましくない物質が分離管３０内に入り込まないようにする。
【００２５】
下ケーシング２０には、図１〜図３及び図７、図８に示すように、周囲等間隔で３個のＵ字形分離管３０が配置され、その中心に上記駒１７に対向する駒２７が嵌合固定されている。この駒２７には各分離管３０の両端が導かれてその上面に開口してその注入口２４ｂ、排出口２６ｂと成っており、さらに後述の吸引管２５の吸引口２５ｂが開口している。また、駒２７の上面の各注入口２４ｂ等の間に洗浄液溜４０が形成されている(図２、図３参照)。両駒１７、２７の対向面は、摺動可能で、かつ水密に当接している。
【００２６】
分離管３０は、図１乃至図３及び図８に示すように、ケース３０ａに収納されており、そのケース３０ａは、下ケーシング２０の空所２０ａ内にその中心側でもって上下方向に回転自在に設けられている。このため、このケース３０ａは、常時は、下方に回転して吊り下げ状態（図５の鎖線状態）にあり、回転により遠心力が働くと、その遠心力により上方に回転して水平状態（図５の破線状態）となり、この水平状態から、低回転になって遠心力が小さくなる（なくなる）と、自重により、下方に回転して吊り下げ状態となる。
【００２７】
上記分離管３０は、図５及び図８に示すように、血液Ａの注入口２４ｂに連通する第１の液溜３１と、この第１の液溜３１に短い導管３１ａを介して隣接する第２の液溜３２と、Ｕ字形導管３２ａから延びる排出用導管３３より成る。これらの液溜３１、３２は、ほぼ紡錘形をしており、他の導管３１ａ、３２ａ、３３と径を異ならせているが、大径部は全体の管長を短くするほか、他の管を挿入するためであり、小径部は後述する各検出器（センサー）３６、３４ａ等の検出精度を高めるため等である。なお、分離管３０の駒２７への導出部はフレキシブルとなって、上ケーシング２０に対する分離管３０（ケース３０ａ）の回転作用に支障がないようになっている。
【００２８】
上記第１の液溜３１には、フレキシブルチューブからなる上層液Ｂの吸引管２５が挿入されている。また、排出用導管３３の排出口２６ｂ近くには電磁開閉弁（バルブ）３５が介設されており、この弁３５の開放により、分離管３０内の血液Ａが移動可能及び排出可能となる。Ｕ字形導管３２ａから排出口２６ｂまでの排出用導管３３には第２、第３、第４センサー３４ａ、３４ｂ、３４ｃが介設されており、これらのセンサーによって、血液Ａの分離管３０内への到達位置を確認する。さらに、前記第１の液溜３１と第２の液溜３２をつなぐ導管３１ａの部分には、例えば投光器と受光器から成る光センサ等の検出器（分離感知センサー、第１センサー）３６が配置されている。
【００２９】
この分離管３０による血液分離作用は従来と略同じであり、電磁開閉弁３５が開放の状態で、血液Ａが送り込まれて、その血液Ａが第１センサー３４ａに至ると、電磁開閉弁３５が閉じ、血液Ａが第１、第２の液溜３１、３２及びＵ字形導管３２ａの手前まで充満し保留される。この分離管３０が水平状態で高速回転すると、次第に重い細胞成分Ａ´が遠心力により外側液溜３２に移行して血液Ａから分離し、内側液溜３１には液成分Ｂの割合が多くなってくる。そして、細胞成分Ａ´と液成分Ｂの分離が進み、その液成分Ｂの量が増加して狭隘な導管３１ａの部分に達すると、検出器（第１センサー）３６がこれを検出する。液成分Ｂは透明性が高いので光センサ等によって容易に検出可能である。
【００３０】
その検出信号によって第１のポンプ(図示せず)が駆動し、液成分Ｂ即ち上層液を吸引管２５で吸い出す。一定時間吸い出したことをタイマで検出するか、或は細胞成分Ａ’が細い導管３１ａに逆流してきたことを検出器３６で検出すると（細胞成分Ａ’は光を透過し難いので検出器３６がオンからオフに状態が変化する）、第１のポンプを停止し続いて第２のポンプ(図示せず)の駆動信号を発するとともに、電磁開閉弁３５を開放する。第２のポンプは排出用導管３３から分離管３０内全体を吸引する。細胞成分Ａ’が排出されたことをタイマ等によって検出すると、第２のポンプを停止する。
【００３１】
つぎに、第３のポンプ(図示せず)を駆動して洗浄液Ｃを分離管３０に送り込んで洗浄する。この洗浄は、洗浄液、水、アルコール等を適宜量、適宜時間流通させて行う。洗浄後は適当な手段、例えば、熱風を吹き込むことにより分離管３０を乾燥する。洗浄・乾燥の終了はセンサー３４ａ、３４ｂ、３４ｃの液の有無検知により行う。以上の作用により、分離管３０による血液Ａの分離回収・洗浄・乾燥が行われる(詳細は上述の特許文献１〜３参照)。
【００３２】
下ケーシング２０の上面には、図１乃至図３に示すように、上記駒１７の外側全周の歯車１８に噛合うピニオン５１が設けられており、このピニオン５１をモータ５２により、回転させることにより、上ケーシング１０に対し下ケーシング２０を回転させる。このため、モータＭにより、回転軸１１が回転されると、上下ケーシング１０、２０が一体に回転し、その状態で、ピニオン５１が回転すると、上ケーシング１０に対し下ケーシング２０が回転して、上側駒１７の開口１６ｂ、１４ｂ、１５ｂ及び空気孔１９、他の排出管１６の開口１６ｂが、下ケーシング２０の駒２７上面の分離管３０の注入口２４ｂ、排出口２６ｂ等と洗浄液溜４０に順々に対応する。
【００３３】
また、下ケーシング２０には、上ケーシング１０の進行に連動してプランジャ５４により進退するピン５３が設けられており、このピン５３は、下ケーシング２０が上ケーシング１０に対し回転しようとした際、速やかに退避(没入)して、その下ケーシング２０の進行を許容するとともに、瞬時に、進行（突出）して、上ケーシング１０下面の孔５５に嵌って下ケーシング２０を上ケーシング１０に対し位置決めする。
なお、モータ５２（ピニオン５１）、プランジャ５４（ピン５３）の取付け個数・位置は、例えば、１個で十分であるが、上下ケーシング１０、２０の回転に支障がない限り、任意であり、それらがなす重心が回転軸１１の軸芯になるようにすることが好ましい。ピニオン５１は複数にすれば、下ケーシング２０の上ケーシング１０に対する回転をスムースになし得る。
【００３４】
この実施例は以上の構成であり、つぎにその作用を図９〜図１２に基づいて説明する。図９に、上下ケーシング１０、２０の回転状態、各分離管３０（ケース３０ａ）の水平・吊り下げ状態、血液Ａの分離状態の関係、図１０に一分離管３０のみのそれらの関係を示し、まず、当初は、低速回転を行って、下ケーシング２０は下方に回転して吊り下げ状態になっており、その状態で、図１３に示すように、自動又は手動により、供給管１４の吸い口７から血液Ａを供給すると、その供給管１４の上ケーシング１０下面開口１４ｂに対応する注入口２４ｂの一の分離管３０に血液Ａが供給され、その血液Ａは分離管Ａ内に流入して第２センサー３４ａに達すると、電磁開閉弁３５が閉じるとともに、下ケーシング２０が移動した後に、上下ケーシング１０、２０を高速回転させて分離管３０(ケース３０ａ)を水平にし、血液Ａの遠心分離作用に移行する。
なお、低速回転数、高速回転数は、分離管３０の回転中心からの距離、及び血液の分離度合等に基づき適宜に設定すればよいが、例えば、前者は、２００ｒｐｍ前後、後者は、１００００ｒｐｍ〜１５０００ｒｐｍ程度とする。
【００３５】
この低速回転から高速回転への移行時、ピニオン５１を回転させて、下ケーシング２０を上ケーシング１０に対し６０度回転させて、上ケーシング１０の供給管１４等の開口１４ｂ、１５ｂ，１６ｂを洗浄液溜４０に対応させる。その供給管１４には、洗浄水Ｃを送り込み（回収管１５にも送り込んでも良い）、排出管１６から排出する流通により、供給管１４（回収管１５）の洗浄を行うとともに乾燥を行い、次の血液供給に備える。
この作用は低速回転時に行なう。
【００３６】
なお、下ケーシング２０の上ケーシング１０に対する回転方向は、前後進の何れでも良い。また、その回転角度も、分離管３０・洗浄液溜４０の設置数で決定され、図示のように、３個の周囲等間隔であれば、６０度となり、４個等間隔であれば、４５度となる等、分離管３０の数も併せて任意である。
【００３７】
一定時間(タイマ等で計測し、例えば、１分)の高速回転後、低速回転に移行する。この低速回転への移行と同時に、ピニオン５１を回転させて、下ケーシング２０を上ケーシング１０に対しさらに６０度回転させて、その分離管３０の注入口２４ｂ、排出口２６ｂを上ケーシング１０の他の排出管１６の開口１６ｂ及び空気孔１９に対応させるとともに、検出器（第１センサー）３６により血液分離状態を検出する。
【００３８】
検出器３６が血液の分離（細管部分が上液層Ｂとなる）を感知すれば、その分離管３０が回収位置（上ケーシング１０との関係における回収位置）に至るまで、この実施例では、下ケーシング２０が上ケーシング１０に対し一回転するまで（例えば、３分）、分離管３０の低高速回転及び水平・吊り下げが３回繰り返され、その分離状態が維持され、その回収位置に至って、上記回収・洗浄作用がなされる。
【００３９】
この血液分離回収作用において、図７に示すように、下ケーシング２０が上ケーシング１０に対し、６０度毎に前方又は後方に順々に回転するため（同図の時計回り方向又は反時計回り方向）、一の分離管３０は、上ケーシング１０のＸ1位置からＸ2、Ｘ3・・の位置（下ケーシング２０が上ケーシング１０に対し反時計方向に回転する場合）へと順々に移行する。このため、その上ケーシング１０の供給管１４等の開口１４ｂ、１５ｂ，１６ｂは、他の分離管３０（実施例では２個）の注入口２４ｂ、吸引口２５ｂ、排出口２６ｂ及び各洗浄液溜４０に順々に対応し、その対応した分離管３０では、上述の血液Ａの供給・上層液Ｂの吸引（回収）・細胞成分Ａ´の排出（排液）・洗浄乾燥が行なわれ、対応した洗浄液溜４０では、供給管１４等の洗浄・乾燥がなされる。このようにして、３個の分離管３０において順々に血液Ａの供給・分離・回収がなされる。この作用を図１１に示す。
【００４０】
一方、この血液分離回収作用において、検出器３６による血液分離状態の検出時、血液濃度が高くて細胞成分Ａ’が多く、所要の時間が経過しても検出器３６が分離を感知しない場合には、図１０、図１２（ａ）の「血液濃度が高い場合１」に示すように、例えば、その分離感知位置Ｘ3で、電磁開閉弁３５を開放して、第２のポンプを駆動させて分離管３０内全体を吸引して血液Ａを第３センサー３２ｂに至らせて、上記の高速回転による分離作用を行う。このとき、この分離管３０の注入口２４ｂ，排出口２６ｂは、上ケーシング１０の他の排出管１６の開口１６ｂ、空気孔１９に対応しているため、その血液Ａの移動は円滑である。
【００４１】
さらに、高速回転分離作用を行っても、血液濃度が高くて、検知器３６が分離を感知しない場合には、図１０、図１２（ｂ）の「血液濃度が高い場合２」に示すように、例えば、その分離感知位置Ｘ5で、電磁開閉弁３５を再度開放して、第２のポンプを駆動させて分離管３０内全体を吸引して血液Ａを第４センサー３２ｃに至らせて高速分離作用を行う。この作用により、殆どの血液Ａは、回収位置Ｘ1に至るまでに、上層液Ｂの分離作用は完了する。このため、血液濃度に影響されずに、下ケーシング２０の上ケーシング１０に対する一回転によって上層液Ｂの分離作用は完了する。この一回転で、血液濃度に関係なく分離作用をなし得ることは、その分離作用の制御が容易となるとともに、円滑さが向上する。
【００４２】
分離管３０の回転手段は、低速回転による自重による下方への回転に限らず、モータ等の別途の駆動手段によっても良い。この場合、支障がなければ、低速回転にする必要はない。また、上下ケーシング１０、２０の相対回転は、特許文献２、３に記載のクラッチ機構などの種々の周知の手段を採用できる。
【図面の簡単な説明】
【００４３】
【図１】一実施例の斜視図
【図２】同実施例の分解斜視図
【図３】同実施例の部品分解斜視図
【図４】同実施例の上ケーシングの駒１７を除去した下方からの斜視図
【図５】同実施例の縦断面図
【図６】同実施例の上ケーシングの下面図
【図７】下ケーシングの上面図
【図８】分離管ケースの平面図
【図９】同実施例の作用説明図
【図１０】同実施例の作用説明図
【図１１】同実施例の作用説明図
【図１２ａ】同実施例の作用説明図
【図１２ｂ】同実施例の作用説明図
【図１３】血液分析作用の概略図
【符号の説明】
【００４４】
Ａ  血液
Ａ´  細胞成分
Ｂ  上層液
Ｃ  洗浄液
Ｍ  モータ
１  上層液自動分離回収装置
２  試験管
４  有形成分測定装置
５  無形成分測定分離装置
６  残液タンク
１０  上ケーシング
１１  回転軸
１３  コイルばね
１４  供給管
１４ａ、１４ｂ  供給管の開口(一端、他端)
１５  回収管
１５ａ、１５ｂ  回収管の開口(一端、他端)
１６  排出管
１６ａ、１６ｂ  排出管の開口（一端、他端）
１７  駒
１８  歯車
１９  空気孔
２０  下ケーシング
２４ｂ  分離管の注入口
２５  吸引管
２５ｂ  吸引口（吸引管の後端）
２６ｂ  分離管の排出口(開口)
２７  駒
３０  分離管
３１  第１の液溜
３１ａ  導管
３２  第２の液溜
３２ａ  Ｕ字形導管
３３  排出用導管
３４ａ、３４ｂ、３４ｃ  血液到達感知センサー（第２、第３、第４センサー）
３５  電磁開閉弁(バルブ)
３６  検出器（分離感知センサー  第１センサー）
４０  洗浄液溜
５１  ピニオン
５２  ピニオン回転用モータ
５３  位置決めピン
５４  位置決めピン進退用プランジャ
【図１】
2005164392.tif 000003
【図２】
2005164392.tif 000004
【図３】
2005164392.tif 000005
【図４】
2005164392.tif 000006
【図６】
2005164392.tif 000007
【図５】
2005164392.tif 000008
【図７】
2005164392.tif 000009
【図８】
2005164392.tif 000010
【図９】
2005164392.tif 000011
【図１０】
2005164392.tif 000012
【図１１】
2005164392.tif 000013
【図１２ａ】
2005164392.tif 000014
【図１２ｂ】
2005164392.tif 000015
【図１３】
2005164392.tif 000016